【事件の表示】
　特願２００９−１５７１９０「遊技機、及び演出制御基板」拒絶査定不服審判事件〔平成２３年　１月２０日出願公開、特開２０１１−　１０８３２〕について、次のとおり審決する。
【結　論】
　本件審判の請求は、成り立たない。
【理　由】
１．手続の経緯
　本願は、平成２１年７月１日の出願であって、平成２４年６月２７日付け（発送：７月２日）で拒絶査定され、これに対し、同年９月２４日に拒絶査定不服審判の請求がなされ、同日付けで手続補正がなされ、当審において、同年１１月５日付け（発送：１１月６日）で審査官の前置報告書に基づく審尋を行い、同年１２月２７日付けで回答書が提出されたものである。 
　
２．平成２４年９月２４日付けの手続補正についての補正却下の決定
［補正却下の決定の結論］
　平成２４年９月２４日付けの手続補正（以下「本件補正」という。）を却下する。
　
［理由］
（１）補正後の本願発明
　本件補正は、補正前の請求項１〜５に記載された
「【請求項１】
　遊技球の入賞に応じて抽選を行う主制御基板と、該主制御基板からの制御信号に基づいて所定の演出処理を行う演出制御基板とを備えた遊技機であって、
　前記主制御基板は、
　　該主制御基板のスペック情報を含むコマンドを前記演出制御基板に送信するコマンド送信手段を備え、
　前記演出制御基板は、
　　前記主制御基板が第１のスペックの場合に用いられる第１演出用データと、前記主制御基板が第２のスペックの場合に用いられる第２演出用データとを含む演出用データ記憶手段と、
　　前記主制御基板からの前記コマンドに基づいて、前記第１演出用データ又は前記第２演出用データの何れかを用いて演出を実行する演出実行手段とを備え、
　前記コマンド送信手段は、電源復旧時に前記スペック情報を含むコマンドを送信し、
　前記演出実行手段は、前記コマンドに基づいて前記第１演出用データ又は前記第２演出用データの何れかを選択し、該選択した演出用データを用いて電源復旧以後の演出を実行する遊技機。
　　【請求項２】
　前記コマンド送信手段は、電源投入時に前記スペック情報を含むコマンドを送信し、
　前記演出実行手段は、前記コマンドに基づいて前記第１演出用データ又は前記第２演出用データの何れかを選択し、選択した演出用データを用いて電源投入以後の演出を実行する、請求項１に記載の遊技機。
　　【請求項３】
　前記第１演出用データは、複数の演出と、該複数の演出の出現確率を示すデータとを記憶した第１演出テーブルを含み、
　前記第２演出用データは、前記複数の演出と、前記第１演出テーブルに記憶されたデータが示す出現確率とは異なる、前記複数の演出の出現確率を示すデータとを記憶した第２演出テーブルを含み、
　前記演出実行手段は、前記第１演出テーブル又は前記第２演出テーブルに記憶された演出を前記出現確率を示すデータに基づく抽選によって選択することにより演出を実行する、請求項１又は２に記載の遊技機。
　　【請求項４】
　前記演出用データ記憶手段は、出現率が０に設定された演出内容を含む、請求項１から３の何れかに記載の遊技機。
　　【請求項５】
　遊技球の入賞に応じて抽選を行う主制御基板からの制御信号に基づいて所定の演出処理を行う演出制御基板であって、
　前記主制御基板が第１のスペックの場合に用いられる第１演出用データと、前記主制御基板が第２のスペックの場合に用いられる第２演出用データとを含む演出用データ記憶手段と、
　前記主制御基板からのスペック情報を含むコマンドに基づいて、前記第１演出用データ又は前記第２演出用データの何れかを選択して演出を実行する演出実行手段とを備え、
　前記演出実行手段は、前記主制御基板から電源復旧時に受信する前記スペック情報を含むコマンドに基づいて前記第１演出用データ又は前記第２演出用データの何れかを選択し、該選択した演出用データを用いて電源復旧以後の演出を実行する、演出制御基板。」という発明を、
「【請求項１】
　遊技球の入賞に応じて抽選を行う主制御基板と、該主制御基板からの制御信号に基づいて所定の演出処理を行う演出制御基板とを備えた遊技機であって、
　前記主制御基板は、
　　該主制御基板のスペック情報を含むコマンドを前記演出制御基板に送信するコマンド送信手段を備え、
　前記演出制御基板は、
　　前記主制御基板が第１のスペックの場合に用いられ
、各演出の出現確率を示す複数種類の演出テーブルを有する
、各演出の出現確率を示す複数種類の演出テーブルを有する
　　前記主制御基板からの前記コマンドに基づいて、前記第１演出用データ
を構成する演出テーブル及び
を構成する演出テーブルのうち
１つ
　前記コマンド送信手段は、電源復旧
を条件
　前記演出実行手段は、前記コマンドに基づいて前記第１演出用データ
を構成する演出テーブル及び
を構成する演出テーブルのうち
１つ
、選
　　【請求項２】
　前記コマンド送信手段は、電源投入時に前記スペック情報を含むコマンドを送信し、
　前記演出実行手段は、前記コマンドに基づいて前記第１演出用データ
を構成する演出テーブル及び
を構成する演出テーブルのうち
１つ
　
（２）補正の適否
　本件補正は、特許請求の範囲について、以下に挙げる補正事項を含むものである。
　
（ａ）補正前の請求項３〜５を削除する補正。
　
（ｂ）補正前の請求項１における「前記主制御基板が第１のスペックの場合に用いられる第１演出用データと、前記主制御基板が第２のスペックの場合に用いられる第２演出用データとを含む演出用データ記憶手段と、」という事項を、
　「前記主制御基板が第１のスペックの場合に用いられ
、各演出の出現確率を示す複数種類の演出テーブルを有する
、各演出の出現確率を示す複数種類の演出テーブルを有する
　
（ｃ）補正前の請求項１における「前記第１演出用データ又は前記第２演出用データの何れかを用いて演出を実行する演出実行手段と」という事項を、
　「前記第１演出用データ
を構成する演出テーブル及び
を構成する演出テーブルのうち
１つ
　
（ｄ）補正前の請求項１における「前記コマンド送信手段は、電源復旧時に前記スペック情報を含むコマンドを送信し、」という事項を、
　「前記コマンド送信手段は、電源復旧
を条件
　
（ｅ）補正前の請求項１における「前記演出実行手段は、前記コマンドに基づいて前記第１演出用データ又は前記第２演出用データの何れかを選択し、該選択した演出用データを用いて電源復旧以後の演出を実行する」という事項を、
　「前記演出実行手段は、前記コマンドに基づいて前記第１演出用データ
を構成する演出テーブル及び
を構成する演出テーブルのうち
１つ
、選
　
（ｆ）補正前の請求項２における「前記演出実行手段は、前記コマンドに基づいて前記第１演出用データ又は前記第２演出用データの何れかを選択し、選択した演出用データを用いて電源投入以後の演出を実行する、」という事項を、
　「前記演出実行手段は、前記コマンドに基づいて前記第１演出用データ
を構成する演出テーブル及び
を構成する演出テーブルのうち
１つ
　
上記補正事項についてそれぞれ検討する。
　
　補正事項（ａ）については、請求項の削除を目的とするものに該当する。
　
　補正事項（ｂ）については、「前記主制御基板が第１のスペックの場合に用いられる第１演出用データ」、「前記主制御基板が第２のスペックの場合に用いられる第２演出用データ」を具体的に特定するものであるから、限定的減縮を目的とするものに該当する。
　しかしながら、「前記主制御基板が第１のスペックの場合に用いられ
、各演出の出現確率を示す複数種類の演出テーブルを有する
、各演出の出現確率を示す複数種類の演出テーブルを有する
　
　段落【０１１５】には「また、各演出の出現確率を変更するだけで、スペックに応じて全く異なる演出を実行することも可能である。図１２は、スペックに応じて異なる演出を実行するための演出テーブルの一例を示した図である。なお、図１２では、演出の選択のための乱数は、０〜９９まで変動するものとして、各演出に割り当てられた当選番号の個数が示されている。図１２に示すように、演出テーブル１０及び演出テーブル２０には、それぞれ同じ演出を示すデータが格納されているが、それぞれの演出の出現確率が異なる。例えば、スペックＡでは、演出テーブル１０の演出５は当選番号が０個設定されているため、スペックＡでは、演出５の演出が実行されることはない。しかしながら、スペックＢでは、演出テーブル２０の演出５は当選番号が５個設定されているため、スペックＢでは、演出５が実質的に新たに追加されている。このようにして、各演出の当選番号（出現確率を示すデータ）を変更することにより、スペックの変更に応じて新たな演出を追加したり、削除したりすることができる。」と、
　段落【０１３９】には、「また、他の実施形態では、演出制御部４００のＲＯＭ４０２は、着脱可能な外付けの記憶手段（不揮発性メモリ等）であってもよい。この場合において、より柔軟に演出を変更することができる。すなわち、上述した例では、メイン制御部１００用データとメイン制御部１２０用データとがＲＯＭ４０２に記憶されたが、ＲＯＭ４０２を着脱可能とし、これらのデータとは異なるデータを記憶した記憶手段に交換することによって、同じスペックでも異なる演出用のデータを選択することができる。図１５は、他の実施形態における演出制御部の構成を示す図である。図１５に示されるように、演出制御部４００のＲＯＭ４０２の一部又は全部が、外部記憶手段４１１又は４１２に代替されてもよい。外部記憶手段４１１及び４１２は、演出制御部４００に着脱可能に接続される。外部記憶手段４１１には、スペックＡ用データ１とスペックＢ用データ１とが記憶されている。また、外部記憶手段４１２には、スペックＡ用データ２とスペックＢ用データ２とが記憶されている。スペックＡ用データ１とスペックＡ用データ２とは、スペックＡ用の演出データであるが、互いに異なるデータである。このように、演出用データを外部記憶手段に記憶することにより、当該外部記憶手段を交換するだけで、演出を容易に変更することができる。」と記載されており、
　外部記憶手段４１１（スペックＡ用データ１とスペックＢ用データ１とが記憶）と外部記憶手段４１２（スペックＡ用データ２とスペックＢ用データ２とが記憶）とを交換可能とすることにより、スペックＡ（「第１のスペック」に相当）の場合に用いられる第１演出用データ、スペックＢ（「第２のスペック」に相当）の場合に用いられる第２演出用データを、それぞれ、スペックＡ用データ１とスペックＡ用データ２の２種類、スペックＢ用データ１とスペックＢ用データ２の２種類、設けた点が記載されている。
　しかしながら、補正事項（ｂ）の「前記主制御基板が第１のスペックの場合に用いられ
、各演出の出現確率を示す複数種類の演出テーブルを有する
、各演出の出現確率を示す複数種類の演出テーブルを有する
　第１のスペックの場合に用いられる複数種類の演出テーブルを有する第１演出用データ、及び、第２のスペックの場合に用いられる複数種類の演出テーブルを有する第２演出用データが、全て１つの内部記憶手段（ＲＯＭ）に記憶されており、外部記憶手段を交換することなく、いつでも、第１演出用データの複数種類の演出テーブル、及び、第２演出用データの複数種類の演出テーブル、から何れか１つの演出テーブルを選択できるものを含むものであるが、
　外部記憶手段を交換することなく、いつでも、第１演出用データの複数種類の演出テーブル、及び、第２演出用データの複数種類の演出テーブル、から何れか１つの演出テーブルを選択できるようにした点は、当初明細書等には記載されていない。
　また、補正事項（ｂ）は、いつでも、第１演出用データの複数種類の演出テーブル、及び、第２演出用データの複数種類の演出テーブル、から何れか１つの演出テーブルを選択できるようにしたものを含むものであるから、当初明細書等のすべての記載を総合することにより導かれる技術的事項との関係において、新たな技術的事項を導入しないものであるともいえない。
　よって、補正事項（ｂ）は、特許法第１７条の２第３項の規定に違反するものである。
　
　補正事項（ｃ）、（ｅ）及び（ｆ）については、補正事項（ｂ）において、「第１演出用データ」及び「第２演出用データ」が「各演出の出現確率を示す複数種類の演出テーブルを有する」と限定されたことに伴い、「演出を実行する演出実行手段」が用いる演出データは、「第１演出用データを構成する演出テーブル及び第２演出用データを構成する演出テーブルのうちの何れか１つ」であると具体的に特定するものであるから、限定的減縮を目的とするものに該当する。
　しかしながら、補正事項（ｃ）、（ｅ）及び（ｆ）は、補正事項（ｂ）と同様に、第１のスペックの場合に用いられる複数種類の演出テーブルを有する第１演出用データ、及び、第２のスペックの場合に用いられる複数種類の演出テーブルを有する第２演出用データが、全て１つの内部記憶手段（ＲＯＭ）に記憶されており、外部記憶手段を交換することなく、いつでも、第１演出用データの複数種類の演出テーブル、及び、第２演出用データの複数種類の演出テーブル、から何れか１つの演出テーブルを選択できるものを含むものである。
　よって、補正事項（ｃ）、（ｅ）及び（ｆ）は、補正事項（ｂ）と同様に、特許法第１７条の２第３項の規定に違反するものである。
　
　補正事項（ｄ）については、「電源復旧時に」という記載を「電源復旧
を条件
　また、「前記コマンド送信手段は、電源復旧
を条件
　
　段落【０００９】には「本発明では、コマンド送信手段は、電源投入時又は電源復旧時に上記スペック情報を含むコマンド（電源投入コマンド）を送信してもよい。この場合において、演出実行手段は、上記コマンドに基づいて第１演出用データ又は第２演出用データの何れかを選択し、選択した演出用データを用いて電源投入又は電源復旧以後の演出を実行する。」と、
　段落【００１０】には「上記によれば、遊技機の電源投入時又は電源復旧時に主制御基板のスペックを判別することができ、電源投入又は電源復旧以降は、主制御基板のスペックに応じた演出を実行することができる。」と記載されており、
　コマンド送信手段が、電源復旧時に上記スペック情報を含むコマンドを送信する点は記載されているが、コマンド送信手段がスペック情報を含むコマンドを送信するタイミングを、電源復旧から所定時間経過後であるもの、電源復旧後の所定条件が成立したタイミングであるもの等、「電源復旧時」でないタイミングにするものを含むようにした点は、当初明細書等には記載されていない。
　また、補正事項（ｄ）は、コマンド送信手段がスペック情報を含むコマンドを送信するタイミングを、電源復旧から所定時間経過後であるもの等、「電源復旧時」でないタイミングにするものを含むようにしたものであるから、当初明細書等のすべての記載を総合することにより導かれる技術的事項との関係において、新たな技術的事項を導入しないものであるともいえない。
　よって、補正事項（ｄ）は、特許法第１７条の２第３項の規定に違反するものである。
　
　したがって、本件補正は、特許法第１７条の２第３項の規定に違反するので、同法第１５９条第１項において読み替えて準用する同法第５３条第１項の規定により却下すべきものである。
　
　また、上記補正事項（ｄ）の補正前の記載は明瞭であるから、上記補正事項（ｄ）は明瞭でない記載の釈明を目的とするものに該当するとはいえず、請求項の削除、誤記の訂正を目的とするものにも該当するといえない。
　
　よって、本件補正は、特許法第１７条の２第５項各号に掲げるいずれの事項を目的とするものにも該当しない。
　
　したがって、本件補正は、特許法第１７条の２第５項の規定に違反するので、同法第１５９条第１項において読み替えて準用する同法第５３条第１項の規定により却下すべきものである。 
　
　しかしながら、事案に鑑み、本件補正が特許法第１７条の２第３項及び第５項の規定に違反しないものと仮定して、本件補正により補正された請求項１に記載された発明（以下、「本願補正発明」という。）が特許出願の際独立して特許を受けることができるものであるかについて、以下検討を続けることとする。
　
（３）引用文献に記載された発明
　原査定の拒絶の理由（平成２４年２月８日付け拒絶理由通知）において引用文献１として引用された特開２００３−１９９９０９号公報（以下、「引用例１」という。）には、図面とともに、以下の事項が記載されている。なお、下線は当審で付した。
（ア）「【０００７】パチンコ遊技機には、可変表示装置、発光体およびスピーカ等の演出用の電気部品を用いた演出内容にさほどの変わりはないが、大当りの発生確率等の仕様が替わっているシリーズ機がある。例えば、同様の演出内容（可変表示装置に表示される背景やキャラクタが共通している）による演出を行うＡシリーズにおけるシリーズ機としてのａ機種、ｂ機種は、大当りの発生確率等の仕様が同一ではない。
【０００８】
【発明が解決しようとする課題】ａ機種とｂ機種とは異機種ではあるが、演出内容にさほど変わりはないので、演出制御手段の構成を同じにすることがコスト等の面から得策である。しかし、演出制御手段の構成を同じにしたのでは、演出内容が全く同一になって、ａ機種とｂ機種との違いは大当りの発生確率等の仕様が異なるだけになってしまう。すなわち、ａ機種とｂ機種との間で演出内容に差を設けることが難しい。」
（イ）「【００１０】そこで、本発明は、遊技制御手段の構成の変更を少なくしつつ、同一シリーズの他機種に比べて演出内容に差を付けることができる遊技機を提供することを目的とする。
【００１１】
【課題を解決するための手段】本発明の第１の態様の遊技機は、表示状態が変化可能な可変表示装置（例えば可変表示装置９）を含み、変動開始の条件の成立（例えば始動入賞口１４への遊技球の入賞）に応じて可変表示装置に表示される識別情報の可変表示を開始し、可変表示装置に可変表示される識別情報の表示結果が所定の表示態様（例えば左中右の識別情報が揃う）となった場合に遊技者に有利な状態（例えば大当り遊技状態）に制御可能となる遊技機であって、複数種類の機種で共通に用いられ遊技機に設けられた
演出用の電気部品（例えば可変表示装置９）
演出制御手段（例えば表示制御用ＣＰＵ１０１を含む表示制御手段）
（ウ）「【００１３】第１の態様において、演出用データは変動パターンコマンドの種類に応じていずれの態様の予告演出を行うのかを決定するためのデータ（例えば予告振り分けテーブル）を含み、機種が異なると予告演出の実行内容が異なる（例えば予告振り分けテーブル中の予告の種類の振り分け方が異なる）ように構成されていてもよい。」
（エ）「【００３５】次に、
パチンコ遊技機１
（オ）「【００５７】次に遊技機の動作について説明する。図７は、
主基板３１における遊技制御手段
ＣＰＵ５６
（カ）「【００６８】バックアップありを確認したら、ＣＰＵ５６は、バックアップＲＡＭ領域のデータチェック（この例ではパリティチェック）を行う（ステップＳ９）。遊技機への電力供給が停止する際に実行される電力供給停止時処理において、チェックサムが算出され、チェックサムはバックアップＲＡＭ領域に保存されている。ステップＳ９では、算出したチェックサムと保存されているチェックサムとを比較する。
不測の停電等の電力供給停止が生じた後に復旧した場合には、バックアップＲＡＭ領域のデータ
チェック結果が正常でない
場合には、
電力供給の停止からの復旧時でない電源投入時に実行される初期化処理を実行する
【００６９】
チェック結果が正常であれば、
遊技制御手段の内部状態と表示制御手段
の制御状態を電力供給停止時の状態に戻すための遊技状態復旧処理を行う（ステップＳ１０）
【００７０】
初期化処理では、
【００７１】また、
演出制御基板
図柄制御基板８０
を初期化するための初期化コマンドを
送信する処理を実行する（ステップＳ１４）
初期化コマンドには、機種を示す情報が含まれている
【００７２】そして、２ｍｓ毎に定期的にタイマ割込がかかるようにＣＰＵ５６に設けられているＣＴＣのレジスタの設定が行われる（ステップＳ１５）。すなわち、初期値として２ｍｓに相当する値が所定のレジスタ（時間定数レジスタ）に設定される。
【００７３】
初期化処理の実行（ステップＳ１１〜Ｓ１５）
（キ）「【００８４】図９は、ＣＰＵ５６が実行する特別図柄プロセス処理のプログラムの一例を示すフローチャートである。図９に示す特別図柄プロセス処理は、図８のフローチャートにおけるステップＳ２５の具体的な処理でもある。
ＣＰＵ５６は、特別図柄プロセス処理を行う
ステップＳ３００〜Ｓ３０９のうちのいずれかの処理を行う
【００８５】変動短縮タイマ減算処理は、始動記憶（始動口スイッチ１４ａがオンしたことの記憶）の記憶可能最大数に対応した個数設けられている変動短縮タイマを減算する処理である。そして、後述する特別図柄大当り判定処理（ステップＳ３０１）において、例えば、変動短縮タイマの値が０になっていて、かつ、低確率状態（通常状態）では始動記憶数が始動記憶の最大値、確変状態では始動記憶数が「２」以上であれば、図柄の変動パターンとして変動時間が短縮されたパターンを用いることに決定される。また、始動口スイッチ通過確認処理は、始動口スイッチ１４ａがオンしたときに所定の各乱数値を取得して記憶する処理である。
【００８６】
ステップＳ３００〜Ｓ３０９において、以下のような処理が行われる
（ク）「【００８８】
特別図柄大当り判定処理（ステップＳ３０１）
始動入賞があったときに
大当りとするか否かを決定する
（ケ）「【０１０８】コマンド９１ＸＸ（Ｈ）、９２ＸＸ（Ｈ）および９３ＸＸ（Ｈ）は、特別図柄の左中右の停止図柄を指定する表示制御コマンドである。「ＸＸ」には図柄番号が設定される。また、コマンドＡ０００（Ｈ）は、特別図柄の可変表示の停止を指示する表示制御コマンドである。コマンドＢＸＸＸ（Ｈ）は、大当り遊技開始から大当り遊技終了までの間に送出される表示制御コマンドである。そして、コマンドＣ０００（Ｈ）〜ＥＸＸＸ（Ｈ）は、特別図柄の変動および大当り遊技に関わらない可変表示装置９の表示状態に関する表示制御コマンドである。
図柄制御基板８０の表示制御手段は、主基板３１の遊技制御手段から
表示制御コマンドを受信すると
内容に応じて可変表示装置９および普通図柄表示器１０の表示状態を変更する制御を行う
【０１０９】コマンドＣ０００（Ｈ）〜ＥＸＸＸ（Ｈ）のうちＥ１ＸＸ（Ｈ）は、
遊技制御手段が遊技機に対する電力供給開始時に実行する初期化処理
で送信する初期化コマンドである
そのＥＸＴデータは機種を表示
ＥＸＴデータが０１（Ｈ）であれば機種ａを示し、０２（Ｈ）であれば機種ｂを示し、
【０１１０】この実施の形態では、同一シリーズ機において、機種ａ、機種ｂ、機種ｃとは、背景予告の振り分けが異なっている。どのような背景予告を行うのかは、表示制御手段等の演出制御手段によって決定されるのであるが、背景予告の振り分けが異なるとは、可変表示装置９における各変動パターンにおいて、予告１〜４（図６参照）がどの程度の割合で出現するのかの確率が異なっていることである。また、機種ａ〜ｃの間で、同一の客待ちデモ表示の表示制御コマンドＣ０００（Ｈ）を受信した表示制御手段が、機種によって異なる態様で客待ちデモンストレーション画面を可変表示装置９に表示させることができる。また、機種ａ〜ｃの間で、同一の大当り表示開始時の表示制御コマンドＢ２００（Ｈ）等を受信した表示制御手段が、機種によって異なる態様（例えばキャラクタの動き方を変えたり色を変えたりする）で大当り遊技中の表示演出を行うこともできる。さらに、表示制御手段は、可変表示装置９の表示画面の一部に機種名を表示してもよい。
表示制御手段は、遊技機への電力供給開始時に、初期化コマンドを受信して
機種名を認識でき
例えば、客待ちデモ表示の表示制御コマンドＣ０００（Ｈ）を受信したら、機種に応じたデモンストレーション画面を可変表示装置９に表示させる制御を行う
（コ）「【０１４９】図２５は、図２１に示されたメイン処理におけるステップＳ７０１の初期化処理の一例を示すフローチャートである。初期化処理において、
表示制御用ＣＰＵ１０１は、
【０１５０】
初期化コマンドを受信した場合には、
【０１５１】次に、
表示制御用ＣＰＵ１０１は、受信した初期化コマンドの
ＥＸＴデータ
を確認する
ＥＸＴデータが０１（Ｈ）であれば、
遊技機は機種ａである
ＥＸＴデータが０２（Ｈ）であれば、
遊技機は機種ｂである
【０１５２】上述したように、この実施の形態では、同一シリーズ機において、機種ａ、機種ｂ、機種ｃとは、背景予告の振り分けが異なっている。すなわち、機種ａでは表示制御手段は機種ａ用の背景予告の振り分けを行い、機種ｂでは表示制御手段は機種ｂ用の背景予告の振り分けを行い、機種ｃでは表示制御手段は機種ｃ用の背景予告の振り分けを行う。
【０１５３】従って、
表示制御用ＣＰＵ１０１は、初期化コマンドのＥＸＴデータが０１（Ｈ）であれば機種ａ用として用意されている予告振り分けテーブルａを使用することにする
初期化コマンドのＥＸＴデータが０２（Ｈ）であれば機種ｂ用として用意されている予告振り分けテーブルｂ使用することにする
【０１５４】以上のように、この実施の形態では、
表示制御手段は、遊技制御手段から送信される初期化コマンドに含まれる機種データに応じて予告振り分けテーブルを選択
予告振り分けテーブルａ，ｂ
は、表示制御手段におけるＲＯＭ１０２に格納されて
（サ）「【０１６６】図２８に示すように、高確率時の通常変動役物予告Ｘ１（変動パターン番号２０）、高確率時の通常変動役物予告Ｙ１（変動パターン番号２１）、高確率時通常変動（変動パターン番号３８）および短縮表示（変動パターン番号３９）の場合には、背景予告がなされない。また、例えば、変動パターン番号９の「ロング役物予告Ｙ１当り再」では、３９／４３の割合で予告１の背景予告が実行され、４／４３の割合で予告２の背景予告が実行されることが示されている。
【０１６７】予告演出の振り分けは、予告決定用乱数１を用いて行われる。例えば、変動パターン番号９の「ロング役物予告Ｙ１当り再」の予告選択テーブルには、予告１に対応した３９種類の数値（数値データ）が設定され、予告２に対応した４種類の数値が設定されている。そして、表示制御手段は、抽出した予告決定用乱数１の値が、予告１に対応した３９種類の数値のうちのいずれかに一致したら予告１の態様の背景予告を実行し、予告２に対応した４種類の数値のうちのいずれかに一致したら予告２の態様の背景予告を実行することに決定する。なお、変動パターン番号８の変動パターンについてだけでなく、全ての変動パターンについての予告選択テーブルに、選択されうる予告種類に対応した数値が設定されている。また、各変動パターンについて、選択されうる予告種類に対応した数値の個数の和は４３である。」
（シ）「【０１６９】図３０は、図２７に示された表示制御プロセス処理における予告選択処理（ステップＳ８０１）を示すフローチャートである。予告選択処理において、
表示制御用ＣＰＵ１０１は、
【０１７０】ステップＳ８１１において予告演出を行う可能性のある変動パターンが指定されていると判断した場合には、表示制御用ＣＰＵ１０１は、予告乱数カウンタ１のカウント値を読み出し、読み出した値を予告決定用乱数値１とする（ステップＳ８１２）。さらに、受信した変動パターン指定の表示制御コマンドに対応した予告選択テーブルを選択する（ステップＳ８１３）。
【０１７１】ステップＳ８１３では、機種に応じた予告振り分けテーブルが用いられる。すなわち、初期化処理において機種ａ〜ｃのいずれかに応じた予告振り分けテーブルａ〜ｃのいずれかが
使用されることに決定
決定した予告振り分けテーブルが用い
【０１７２】図２８に示されたように、演出用データは、予告演出を行うことを示す数値データ（予告１、２、３または４に対応した数値データ）と予告演出を行わないことを示す数値データ（予告なしに対応した数値データ）とを含む。そして、演出制御手段としての表示制御手段は、数値（具体的には予告乱数カウンタ１のカウント値）を所定時間（この例では１６．７ｍｓ）毎に更新する数値更新手段（表示制御手段におけるステップＳ７０５のカウンタ更新処理を実行する部分）を有し、図３０に示されたように、数値更新手段が更新した数値を抽出し、抽出した数値と演出用データにおける数値データとを比較することによって
予告演出を行うか否かを決定する
（ス）「【０１７６】図３３は、表示制御プロセス処理における図柄変動中処理（ステップＳ８０３）を示すフローチャートである。図柄変動中処理において、
表示制御用ＣＰＵ１０１は、
決定されている予告演出
された
にもとづく表示が行われるように
制御する
（セ）「【０１８４】図３７は、
機種ｂで用いられる予告振り分けテーブルｂ
では、
機種ａで用いられる変動パターンコマンド（８０００（Ｈ）〜８０２６（Ｈ）の変動パターン指定の表示制御コマンド）と同一の変動パターンコマンドが用いられるが、
【０１８５】図３７に示す
予告振り分けテーブルｂが
機種ａ用の予告振り分けテーブルａと異なる点は、
変動パターン番号１
において背景予告が行われないように設定されていることである
【０１８６】従って、機種ｂでは変動パターン番号１、２０、２１、３８および３９の図柄の変動について背景予告を行わず、機種ａでは変動パターン番号２０、２１、３８および３９の図柄の変動について背景予告を行わないので、機種ｂと機種ａとでは、背景予告を行うか否かの選択率が異なっている。また、
変動パターン番号１０〜変動パターン番号１７の図柄の変動について、
予告１〜４の出現率が異なっている
（ソ）「【０１９２】以上に説明したように、上記の実施の形態では、
遊技制御手段が、遊技機への電力供給開始時に、複数種類の機種のうちのいずれの機種であるのかを判別可能な機種判別コマンドを演出制御手段としての表示制御手段に送信し、
【０１９３】従って、機種ａ〜ｃが含まれるシリーズにおいて、遊技制御手段が実行する遊技制御プログラムを変更することなく、または軽微な変更を施すだけで、各機種毎に演出内容を変え、演出のバリエーションを変化させることができる。また、各機種毎に演出内容を変えるにあたって、遊技制御手段は、機種判別コマンド以外のコマンドを変更する必要もない。そして、機種が異なると予告演出の実行内容が異なるように演出用データが構成されているので、遊技制御プログラムを変更することなく、機種毎に予告演出の信頼度（リーチになる信頼度または大当りになる信頼度）を異ならせることができる。また、機種が異なると予告演出の実行内容が異なるように演出用データが構成されているので、遊技制御プログラムを変更することなく、機種毎に予告演出の実行内容を異ならせることができる。」
（タ）「【０１９６】
【発明の効果】以上のように、請求項１記載の発明では、遊技機を、遊技制御手段が、遊技機への電力供給開始時に、複数種類の機種のうちのいずれの機種であるのかを判別可能な機種判別コマンドを演出制御手段に送信し、変動開始の条件が成立すると識別情報の複数種類の可変表示態様のうちいずれの可変表示態様を実行するかを特定可能な変動パターンコマンドを演出制御手段に送信し、複数種類の可変表示態様には複数種類の機種において共通使用される変動パターンコマンドによって共通に用いられるものがあり、演出制御手段が、複数種類の機種のそれぞれに対応した複数種類の演出用データを記憶する記憶手段を有し、演出用データが、変動パターンコマンドが受信されたときに、可変表示装置に表示される識別情報の表示結果が所定の表示態様となること、または最後に表示される識別情報以外の識別情報が所定の表示態様となる条件を満たすことを事前に報知するための予告演出の少なくともいずれかを行うか否かを決定するためのデータを含むとともに、機種が異なると予告演出を行うか否かの選択率が異なるように構成され、演出制御手段が、遊技制御手段から受信した機種判別コマンドにもとづいて機種を判別し、判別した機種に対応した演出用データを用いて予告演出を行うか否かの決定を行うように構成したので、遊技制御手段が実行する遊技制御プログラムを変更することなく、各機種毎に演出内容を変え、演出のバリエーションを変化させることができる効果がある。特に、遊技制御プログラムを変更することなく、機種毎に予告演出の実行内容を異ならせることができる。」
　
　以上、上記（ア）ないし（タ）の記載及び図面の記載を総合すると、引用例１には、
「主基板３１における遊技制御手段のＣＰＵ５６は、特別図柄プロセス処理の特別図柄大当り判定処理（ステップＳ３０１）において、始動入賞があったときに大当りとするか否かを決定し、演出制御基板である図柄制御基板８０の表示制御手段は、主基板３１の遊技制御手段から表示制御コマンドを受信すると内容に応じて演出用の電気部品である可変表示装置９の表示状態を変更する制御を行い、パチンコ遊技機１には、可変表示装置９を制御する図柄制御基板８０、主基板３１が設置され、
　主基板３１における遊技制御手段がパチンコ遊技機１に対する電力供給開始時に実行する初期化処理で初期化コマンドを送信するものであり、初期化コマンドには、機種を示す情報が含まれており、初期化コマンドのＥＸＴデータが０１（Ｈ）であれば機種ａを示し、０２（Ｈ）であれば機種ｂを示し、
　図柄制御基板８０における表示制御手段の表示制御用ＣＰＵ１０１は、初期化コマンドを受信した場合には、受信した初期化コマンドのＥＸＴデータを確認し、ＥＸＴデータが０１（Ｈ）であれば、パチンコ遊技機１は機種ａであり、ＥＸＴデータが０２（Ｈ）であれば、パチンコ遊技機１は機種ｂであるとし、
　表示制御用ＣＰＵ１０１は、初期化コマンドのＥＸＴデータが０１（Ｈ）であれば機種ａ用として用意されている予告振り分けテーブルａを、初期化コマンドのＥＸＴデータが０２（Ｈ）であれば機種ｂ用として用意されている予告振り分けテーブルｂを、使用することにし、
　機種ｂで用いられる予告振り分けテーブルｂでは、機種ａで用いられる変動パターンコマンド（８０００（Ｈ）〜８０２６（Ｈ）の変動パターン指定の表示制御コマンド）と同一の変動パターンコマンドが用いられるが、機種ｂ用の予告振り分けテーブルｂが機種ａ用の予告振り分けテーブルａと異なる点は、変動パターン番号１において背景予告が行われないように設定されていること、変動パターン番号１０〜変動パターン番号１７の図柄の変動について、予告１〜４の出現率が異なっていることであり、
　予告振り分けテーブルａ，ｂは、表示制御手段におけるＲＯＭ１０２に格納されており、
　表示制御用ＣＰＵ１０１は、使用することに決定された予告振り分けテーブルを用いて、予告演出を行うか否かを決定し、決定された予告演出にもとづく表示が行われるように制御し、
　不測の停電等の電力供給停止が生じた後に復旧したが、バックアップＲＡＭ領域のデータのチェック結果が正常でない場合には、電力供給の停止からの復旧時でない電源投入時に実行される初期化コマンドの送信（ステップＳ１４）を含む初期化処理（ステップＳ１１〜ステップＳ１５）を実行し、チェック結果が正常であれば、遊技制御手段の内部状態と表示制御手段の制御状態を電力供給停止時の状態に戻すための遊技状態復旧処理を行う（ステップＳ１０）パチンコ遊技機１」の発明が開示されていると認めることができる（以下、この発明を「引用発明」という。）。
　
（４）対比
　引用発明と本願補正発明とを対比する。
　
　引用発明の「主基板３１」は本願補正発明の「主制御基板」に相当する。以下同様に、
「図柄制御基板８０」は「演出制御基板」に、
「パチンコ遊技機１」は「遊技機」に、
「機種を示す情報」は「スペック情報」に、
「機種ａ」は「第１のスペック」に、
「出現率」は「出現確率」に、
「予告振り分けテーブルａ」は「第１演出用データ」に、
「機種ｂ」は「第２のスペック」に、
「予告振り分けテーブルｂ」は「第２演出用データ」に、
「ＲＯＭ１０２」は「演出用データ記憶手段」に、それぞれ相当する。
　
　さらに、引用例１の記載等からみて、以下のことがいえる。
　
ａ．引用発明のパチンコ遊技機１は、主基板３１における遊技制御手段のＣＰＵ５６は、特別図柄プロセス処理の特別図柄大当り判定処理（ステップＳ３０１）において、始動入賞があったときに大当りとするか否かを決定し、演出制御基板である図柄制御基板８０の表示制御手段は、主基板３１の遊技制御手段から表示制御コマンドを受信すると内容に応じて演出用の電気部品である可変表示装置９の表示状態を変更する制御を行い、パチンコ遊技機１には、可変表示装置９を制御する図柄制御基板８０、主基板３１が設置されており、
　遊技機の技術分野において、「始動入賞」が「遊技球の入賞」に基づいて行われることは技術常識であり、「始動入賞があったときに大当りとするか否かを決定する」ことは当該技術分野の技術常識を考慮すると「抽選」であるといえるから、
　引用発明のパチンコ遊技機１は本願補正発明の「遊技球の入賞に応じて抽選を行う主制御基板と、該主制御基板からの制御信号に基づいて所定の演出処理を行う演出制御基板とを備えた遊技機」に相当する構成を実質的に具備しているといえる。
　
ｂ．引用発明のパチンコ遊技機１は、主基板３１における遊技制御手段がパチンコ遊技機１に対する電力供給開始時に実行する初期化処理で初期化コマンドを送信するものであり、初期化コマンドには、機種を示す情報が含まれており、初期化コマンドのＥＸＴデータが０１（Ｈ）であれば機種ａを示し、０２（Ｈ）であれば機種ｂを示すものであり、
　図柄制御基板８０における表示制御手段の表示制御用ＣＰＵ１０１は、初期化コマンドを受信した場合には、受信した初期化コマンドのＥＸＴデータを確認するから、
　引用発明のパチンコ遊技機１は本願補正発明の「前記主制御基板は、該主制御基板のスペック情報を含むコマンドを前記演出制御基板に送信するコマンド送信手段を備え」る構成を実質的に具備しているといえると共に、
　「前記コマンド送信手段は、前記スペック情報を含むコマンドを送信」する点で共通しているといえる。
　
ｃ．引用発明のパチンコ遊技機１は、主基板３１における遊技制御手段がパチンコ遊技機１に対する電力供給開始時に実行する初期化処理で初期化コマンドを送信するものであり、
　図柄制御基板８０における表示制御手段の表示制御用ＣＰＵ１０１は、初期化コマンドを受信した場合には、受信した初期化コマンドのＥＸＴデータを確認し、ＥＸＴデータが０１（Ｈ）であれば、パチンコ遊技機１は機種ａであり、ＥＸＴデータが０２（Ｈ）であれば、パチンコ遊技機１は機種ｂであるとし、
　表示制御用ＣＰＵ１０１は、初期化コマンドのＥＸＴデータが０１（Ｈ）であれば機種ａ用として用意されている予告振り分けテーブルａを、初期化コマンドのＥＸＴデータが０２（Ｈ）であれば機種ｂ用として用意されている予告振り分けテーブルｂを、使用することにし、
　機種ｂで用いられる予告振り分けテーブルｂでは、機種ａで用いられる変動パターンコマンド（８０００（Ｈ）〜８０２６（Ｈ）の変動パターン指定の表示制御コマンド）と同一の変動パターンコマンドが用いられるが、機種ｂ用の予告振り分けテーブルｂが機種ａ用の予告振り分けテーブルａと異なる点は、変動パターン番号１において背景予告が行われないように設定されていること、変動パターン番号１０〜変動パターン番号１７の図柄の変動について、予告１〜４の出現率が異なっていることであり、
　予告振り分けテーブルａ，ｂは、表示制御手段におけるＲＯＭ１０２に格納されており、
　表示制御用ＣＰＵ１０１は、使用することに決定された予告振り分けテーブルを用いて、予告演出を行うか否かを決定し、決定された予告演出にもとづく表示が行われるように制御するものであるから、
　引用発明のパチンコ遊技機１は、本願補正発明と「前記演出制御基板は、前記主制御基板が第１のスペックの場合に用いられ、各演出の出現確率を示す」「演出テーブルを有する第１演出用データと、前記主制御基板が第２のスペックの場合に用いられ、各演出の出現確率を示す」「演出テーブルを有する第２演出用データとを含む演出用データ記憶手段と、前記主制御基板からの前記コマンドに基づいて、前記第１演出用データを構成する演出テーブル及び前記第２演出用データを構成する演出テーブルの」「何れか」「を用いて演出を実行する演出実行手段とを備え」ている点、
「前記演出実行手段は、前記コマンドに基づいて前記第１演出用データを構成する演出テーブル及び前記第２演出用データを構成する演出テーブルの」「何れか」「を選択し、選択した演出用データを用いて」「演出を実行する」点で共通しているといえる。
　
　以上のことから、引用発明と本願補正発明は、
＜一致点＞
「遊技球の入賞に応じて抽選を行う主制御基板と、該主制御基板からの制御信号に基づいて所定の演出処理を行う演出制御基板とを備えた遊技機であって、
　前記主制御基板は、
　該主制御基板のスペック情報を含むコマンドを前記演出制御基板に送信するコマンド送信手段を備え、
　前記演出制御基板は、
　前記主制御基板が第１のスペックの場合に用いられ、各演出の出現確率を示す演出テーブルを有する第１演出用データと、前記主制御基板が第２のスペックの場合に用いられ、各演出の出現確率を示す演出テーブルを有する第２演出用データとを含む演出用データ記憶手段と、
　前記主制御基板からの前記コマンドに基づいて、前記第１演出用データを構成する演出テーブル及び前記第２演出用データを構成する演出テーブルの何れかを用いて演出を実行する演出実行手段とを備え、
　前記コマンド送信手段は、前記スペック情報を含むコマンドを送信し、
　前記演出実行手段は、前記コマンドに基づいて前記第１演出用データを構成する演出テーブル及び前記第２演出用データを構成する演出テーブルの何れかを選択し、選択した演出用データを用いて演出を実行する遊技機。」である点で一致し、以下の点で相違している。
　
＜相違点１＞
　本願補正発明は、「前記主制御基板が第１のスペックの場合に用いられ、各演出の出現確率を示す複数種類の演出テーブルを有する第１演出用データと、前記主制御基板が第２のスペックの場合に用いられ、各演出の出現確率を示す複数種類の演出テーブルを有する第２演出用データとを含む演出用データ記憶手段と、
　前記主制御基板からの前記コマンドに基づいて、前記第１演出用データを構成する演出テーブル及び前記第２演出用データを構成する演出テーブルのうちの何れか１つを用いて演出を実行する演出実行手段とを備え」ているのに対して、
　引用発明は、機種ａ用、及び、機種ｂ用の予告振り分けテーブルが、機種ａ用の予告振り分けテーブルａと、機種ｂ用の予告振り分けテーブルｂと、の１種類ずつであり、
　演出を行うときに用いる予告振り分けテーブルが、機種ａ用の予告振り分けテーブルａ、及び、機種ｂ用の予告振り分けテーブルｂの何れかであるため、このような構成でない点。　
＜相違点２＞
　本願補正発明は、「前記コマンド送信手段は、電源復旧を条件に前記スペック情報を含むコマンドを送信し、
　前記演出実行手段は、前記コマンドに基づいて前記第１演出用データを構成する演出テーブル及び前記第２演出用データを構成する演出テーブルのうちの何れか１つを選択し、選択した演出用データを用いて電源復旧以後の演出を実行する」のに対して、
　引用発明は、機種を示す情報を含む初期化コマンドを送信するのが、電源投入時と、不測の停電等の電力供給停止が生じた後に復旧したが、バックアップＲＡＭ領域のデータのチェック結果が正常でない場合であり（チェック結果が正常であれば送信しない）、
　演出を行うときに用いる予告振り分けテーブルが、機種ａ用の予告振り分けテーブルａ、及び、機種ｂ用の予告振り分けテーブルｂの何れかであるため、このような構成でない点。
　
（５）判断
＜相違点１＞について
　遊技機において、各演出の出現確率を示す演出テーブルを複数種類設け、複数種類の演出テーブルのうち何れか１つを用いて演出を実行することは、特開２００６−１９８０３４号公報（時刻に応じて参照される演出テーブルが変更される、演出テーブル（１）〜（４）が、複数種類の演出テーブルに相当。段落【００４１】〜【００５２】、図４〜９等参照。）、特開２００９−９０１４７号公報（あと何回でリーチあるいは大当たりになるか等に応じて設定されるテーブルが異なる、予告演出決定用テーブルＷ〜Ｚが、複数種類の演出テーブルに相当。段落【０１７２】〜【０１７９】、図４〜９等参照。）、特開２００８−１８８２９６号公報（曜日等に応じて使い分ける、第１〜２状態時テーブルが、複数種類の演出テーブルに相当。段落【０１８９】〜【０１９７】、【０２４７】〜【０２４８】、【０２５２】、図１１〜１２参照）に記載されているように周知（以下、「周知技術」という。）であるから、
　引用発明の「機種ａ用の予告振り分けテーブルａ」及び「機種ｂ用の予告振り分けテーブルｂ」に、上記周知技術を適用して、「機種ａ用の予告振り分けテーブルａ」及び「機種ｂ用の予告振り分けテーブルｂ」がそれぞれ複数種類ずつある構成とし、「予告振り分けテーブル」を選択するとき、複数種類の「機種ａ用の予告振り分けテーブルａ」及び「機種ｂ用の予告振り分けテーブルｂ」、のうち何れか１つを用いて演出を実行する構成として、上記相違点１に係る本願補正発明の構成とすることは、当業者が容易になし得たことにすぎない。
　
＜相違点２＞について
　「第１演出用データ」及び「第２演出用データ」が有する「各演出の出現確率を示す」「演出テーブル」が、それぞれ「複数種類」あり、
　「演出を実行する演出実行手段」が用いる「演出テーブル」が、「前記第１演出用データを構成する演出テーブル及び前記第２演出用データを構成する演出テーブルのうちの何れか１つ」であるようにする点については、上記「＜相違点１＞について」において既に検討している。
　原査定の拒絶の理由（平成２４年２月８日付け拒絶理由通知）において引用文献２として引用された特開２００６−１６７４２９号公報（電源復帰時には、バックアップデータがない場合に、初期図柄表示コマンドと機種データを繋げたコマンドを出力し、機種に対応する初期図柄表示を指示し、初期化ジョブを終了して主制御部メインジョブに復帰し、以降機種に応じた演出を行う点、バックアップデータがある場合に、復帰画面指定コマンドと機種データを繋げたコマンドを出力し、図柄指定コマンドを出力し、初期化ジョブを終了して主制御部メインジョブに復帰し、以降機種に応じた演出を行う点、が記載されている。以下、「引用例２」という。段落【００９０】〜【００９１】、【００９４】〜【００９７】、【０１０４】〜【０１０５】、【０１６３】〜【０１７７】、図６、１２、１５〜１６、１８、２７等［特に、段落【０１６６】〜【０１７１】、図２７］参照。）には、コマンド送信手段が、電源復帰時にスペック情報を含むコマンドを送信し、演出実行手段が、コマンドに基づいて第１演出用データ及び第２演出用データのうちの何れか１つを選択し、選択した演出用データを用いて電源復旧以後の演出を実行する点が記載されているから、
　引用発明に、引用例２に記載された発明を適用して、電源復旧時にコマンドを送信し、演出実行手段が電源復旧以降の演出を実行するようにすると共に、
　引用発明に、上記周知技術を適用して、第１演出用データを構成する複数種類の演出テーブル、及び、第２演出用データを構成する複数種類の演出テーブル、のうちの何れか１つを用いて演出を実行するようにし、上記相違点２に係る本願補正発明の構成とすることは、当業者が容易になし得たことにすぎない。
　
　そして、本願補正発明の効果は、引用発明、引用例２に記載された発明及び上記周知技術から当業者が予測できる範囲のものである。
　
　以上のように、本願補正発明は、引用発明、引用例２に記載された発明及び上記周知技術に基づいて、当業者が容易に発明をすることができたものである。
　
　したがって、本願補正発明は、特許法第２９条２項の規定により、その特許出願の際に独立して特許を受けることができない。 
　
（６）本件補正についてのまとめ
　以上のとおりであるから、本件補正は、特許法第１７条の２第３項の規定に違反し、仮に当該規定に違反しないとしても、特許法第１７条の２第５項の規定に違反し、また仮に当該規定に違反しないとしても、特許法第１７条の２第６項において準用する同法第１２６条第７項の規定に違反するので、同法第１５９条第１項の規定において読み替えて準用する同法第５３条第１項の規定により却下すべきものである。
　
３．本願発明について
（１）本願発明
　平成２４年９月２４日付けの手続補正は上記のとおり却下されたので、請求項１に係る発明は、平成２３年１２月２７日付け手続補正書により補正された特許請求の範囲に記載されたとおりのものである。
　
　そして、その請求項１により特定される発明は次のとおりである。
「【請求項１】
　遊技球の入賞に応じて抽選を行う主制御基板と、該主制御基板からの制御信号に基づいて所定の演出処理を行う演出制御基板とを備えた遊技機であって、
　前記主制御基板は、
　　該主制御基板のスペック情報を含むコマンドを前記演出制御基板に送信するコマンド送信手段を備え、
　前記演出制御基板は、
　　前記主制御基板が第１のスペックの場合に用いられる第１演出用データと、前記主制御基板が第２のスペックの場合に用いられる第２演出用データとを含む演出用データ記憶手段と、
　　前記主制御基板からの前記コマンドに基づいて、前記第１演出用データ又は前記第２演出用データの何れかを用いて演出を実行する演出実行手段とを備え、
　前記コマンド送信手段は、電源復旧時に前記スペック情報を含むコマンドを送信し、
　前記演出実行手段は、前記コマンドに基づいて前記第１演出用データ又は前記第２演出用データの何れかを選択し、該選択した演出用データを用いて電源復旧以後の演出を実行する遊技機。」（以下、この発明を「本願発明」という。）
　
　一方、原査定の拒絶の理由に引用された特開２００３−１９９９０９号公報（引用例１）に記載された発明は、前記２．（３）に記載したとおりである。
　
（２）対比・判断
　本願発明は、前記２．（２）で検討した本願補正発明から、実質的な変更とならない特定事項を除き、「演出用データ記憶手段」に記憶されている「第１演出用データ」及び「第２演出用データ」が「各演出の出現確率を示す複数種類の演出テーブルを有する」との限定、「演出を実行する演出実行手段」を用いる演出用データが、「第１演出用データを構成する演出テーブル及び第２演出用データを構成する演出テーブルのうちの何れか１つ」であるとの限定、を付加した部分を削除すると共に、
　「コマンド送信手段」のコマンド送信タイミングについて、「電源復旧時」以外を含む「電源復旧を条件」という拡張された記載を、「電源復旧時」に戻したものである。
　
　そうすると、本願発明は、本願補正発明の「コマンド送信手段」のコマンド送信タイミングについて、「電源復旧を条件」という拡張された記載にする点以外のすべての構成を含み、さらに本願補正発明の上記２．（４）に記載した＜相違点１＞、及び、＜相違点２＞のうち＜相違点１＞と重複する「演出を実行する演出実行手段」を用いる演出用データが、「第１演出用データを構成する演出テーブル及び第２演出用データを構成する演出テーブルのうちの何れか１つ」である点を本願補正発明から削除したものであり、
　本願発明と引用発明との相違点は、前記２．（４）に記載した＜相違点１＞を削除し、＜相違点２＞を以下の＜相違点Ａ＞に変更したものとなる。
　
＜相違点Ａ＞
　本願発明は、「前記コマンド送信手段は、電源復旧時に前記スペック情報を含むコマンドを送信し、
　前記演出実行手段は、前記コマンドに基づいて前記第１演出用データ又は前記第２演出用データの何れかを選択し、該選択した演出用データを用いて電源復旧以後の演出を実行する」のに対して、
　引用発明は、機種を示す情報を含む初期化コマンドを送信するのが、電源投入時と、不測の停電等の電力供給停止が生じた後に復旧したが、バックアップＲＡＭ領域のデータのチェック結果が正常でない場合である（チェック結果が正常であれば送信しない）ため、このような構成でない点。
　
（３）判断
＜相違点Ａ＞について
　引用例２には、前記２．（５）の「＜相違点２＞について」において、コマンド送信タイミングが「電源復旧時」であることを含めて既に検討しているように、コマンド送信手段が、電源復帰時にスペック情報を含むコマンドを送信し、演出実行手段が、コマンドに基づいて第１演出用データ及び第２演出用データのうちの何れか１つを選択し、選択した演出用データを用いて電源復旧以後の演出を実行する点が記載されているから、
　引用発明に、引用例２に記載された発明を適用して、電源復旧時にコマンドを送信し、演出実行手段が電源復旧以降の演出を実行するようにし、上記相違点Ａに係る本願発明の構成とすることは、当業者が容易になし得たことにすぎず、
　本願発明も、引用発明、引用例２に記載された発明に基づいて、当業者が容易に発明をすることができたものである。
　
(４)むすび 
　以上のとおり、本願発明は、引用発明、引用例２に記載された発明に基づいて当業者が容易に発明をすることができたものであり、特許法２９条２項の規定により特許を受けることができない。
　したがって、本願は、他の請求項に係る発明について検討するまでもなく、拒絶されるべきものである。
　よって、結論のとおり審決する。